(57)【特許請求の範囲】
【請求項１】
４：３フォーマットの放送コンテンツを１６：９フォーマットに映像を横方向に拡大するスケーラー手段を備えるワイドテレビジョン装置であって、
デジタルハイビジョン放送受信時において、４：３フォーマットの放送コンテンツを表示している際に、マスキングの領域の左右領域から少なくとも1つ以上の所定サイズの領域を切り出す領域設定手段と、前記領域における輝度値を検出する輝度検出手段と、検出した前記輝度値の変化量を算出し、一定期間、前記変化量が所定の許容値範囲内にあるかどうかを判定する判定手段と、を有した４：３フォーマットデテクター部を備え、
前記４：３フォーマットデテクター部の前記判定手段は、前記輝度値の変化量が所定の許容値範囲内にあると判定した場合、前記スケーラー手段に対して、横方向に拡大するスケーリング変更指示を行うようにしたことを特徴とするワイドテレビジョン装置。
【請求項２】
前記輝度検出手段は、前記所定サイズの全領域の輝度値の平均値を算出し、該平均値を検出した輝度値とし、前記判定手段に出力することを特徴とする請求項１に記載のワイドテレビジョン装置。
【請求項３】
前記輝度検出手段は、前記マスキングの領域の左右領域からそれぞれ切り出した前記所定サイズの全領域の輝度値の平均値を別々に算出し、別々に算出した２つの該平均値をそれぞれ検出した輝度値とし、前記判定手段に出力することを特徴とする請求項１に記載のワイドテレビジョン装置。
【請求項４】
前記判定手段は、前記別々に算出した２つ輝度値の差分量を求め、一定期間の該差分量の変化量が所定の許容値の範囲内にあるか否かを判定することを特徴とする請求項３に記載のワイドテレビジョン装置。
【請求項５】
前記判定手段は、前記変化量が許容値の範囲内にあると判定した後、前記変化量が許容値の範囲内にないと判定した場合には、前記スケーラー手段に対して、自動的に、スケーリングを１６：９フォーマットにするようにスケーリング指示を行うようにしたことを特徴とする請求項１から請求項４のいずれか1項に記載のワイドテレビジョン装置。
【発明の詳細な説明】
【技術分野】
【０００１】
本発明は、デジタルハイビジョン放送受信時において、４：３映像表示モードをワイド表示モードに自動的に切換えを行うワイドテレビジョン装置に関する。
【背景技術】
【０００２】
現在、地上デジタル放送が開始されているが、放送されている放送コンテンツは、アナログ放送コンテンツからデジタル放送コンテンツへ移行する過渡期でもあり、デジタルハイビジョン放送（例えば、別の呼称として１１２５ｉともいう；走査線数１１２５本、インターレス）において、画面の縦：横比が４：３フォーマットのコンテンツが放送されている場合が多々ある。
【０００３】
また、通常、デジタルハイビジョン放送は、縦：横比が１６：９のワイド画面で視聴することを前提に送信されており、放送局側では、４：３フォーマット（以下、ここでいうフォーマットとは、デジタルハイビジョン放送中におけるコンテンツの縦：横比のフォーマットのことをいう）のコンテンツを放送する時は、１６：９フォーマットにおいて左右の領域をマスキングして放送している。
【０００４】
従って、図７に示すように、４：３フォーマットのコンテンツが放送されている場合、画面の両サイドの領域に映像が写されない部分、マスキング領域１０が発生する。
【０００５】
このマスキング領域のため、画像が非常に小さな画像となってしまい、見づらい画面となる。
【０００６】
従来、このような小さな画像となるのを避けるために、４：３フォーマットで放送されている場合は、視聴者が意図的に、１６：９フォーマットの画面サイズに切換えていた。
【０００７】
なお、アナログ放送を受信時に４：３フォーマットから１６：９フォーマットに自動的に切り換える技術については、特開平８−８８８１０号公報などに既に開示されている。
【０００８】
以下に、従来のワイドテレビジョン装置の構成及び動作について概略説明し、特に、従来の４：３フォーマットから１６：９フォーマットへの変換動作について説明する。
【０００９】
図４は、従来のワイドテレビジョン装置の一構成例を示す構成図である。
【００１０】
図４に示すように、従来のワイドテレビジョン装置は、チューナ又はその他外部入力（例えば、ＤＶＤ装置等）からのデジタル映像信号、同期信号および各種クロック信号等を入力し、それぞれからの入力ビデオ機器からの信号に切換えるＤＩＧＩＴＡＬ  ＶＩＤＥＯＳＷＩＴＣＨＥＲ回路（ＤＶＳ回路と略称する）１と、ＤＳＶ回路１からのクロック及び水平／垂直同期信号より入力フォーマットを判別するフォーマットデテクター２と、ＤＳＶ回路１からの入力映像信号を規定のフォーマットに変換するスケーラー３と、スケーラー３によって、規定のフォーマットに変換された映像信号を輝度，色等の調整を行うピクチャーコントローラ４と、を備えて構成される。
【００１１】
上記記載した従来構成のワイドテレビジョン装置では、上述したように、例えば、アナログ放送における４：３映像信号が、ＤＶＳ回路によって選択された場合、フォーマットデテクター２は、その映像信号の４：３フォーマット情報を検出し、スケーラー３に対して、アスペクト比１６：９の映像となるように指示する。指示を受けたスケーラー３は、アスペクト比１６：９の映像にスケーリングして、ピクチャーコントローラ４に出力する。
【００１２】
一方、デジタルハイビジョン放送時において放送される１６：９又は４：３フォーマットのコンテンツの場合は、このコンテンツ情報内には、４：３フォーマット情報が含まれていないため、フォーマットデテクター２は、４：３フォーマット情報を得ることができない。そのため、図７に示す４：３フォーマットのコンテンツは、自動的には、スケーラー３によって、１６：３フォーマット変換することができない。
【００１３】
そこで、ユーザにより、現在表示されている映像が４：３フォーマットであることを認識し、外部装置、例えば、リモコンを操作して、フォーマットデテクター２に現在表示中の映像が４：３フォーマットである旨の情報を報知し、スケーラー３によって、１６：３フォーマット変換している。
【００１４】
なお、図５及び図６は、４：３フォーマットを１６：９フォーマットに変換した画像を示している。
【００１５】
図５は、４：３フォーマットの映像を水平方向に均等にスケーリングした例を示す図である。
【００１６】
また、図６は、図５のように均等に引き伸ばすと歪んだ映像が目立つ場合があり、この歪みをできるだけ目立たなくするために、中心付近と周辺部分とで，引き伸ばし率を変えてスケーリングした図である。
【特許文献１】特開平８−８８８１０号公報
【発明の開示】
【発明が解決しようとする課題】
【００１７】
しかしながら、上述したように、地上波アナログ放送から地上波デジタル放送の移行時期でもあり、デジタルハイビジョン放送時において、頻繁に１６：９フォーマットコンテンツと４：３フォーマットコンテンツが混在する場合に、従来のように、手動による切換では、非常に煩わしいという問題が生じている。
【００１８】
そこで、本発明は、斯かる実情に鑑みて提案されたものであって、デジタルハイビジョン放送受信時において、自動的に４：３フォーマットコンテンツをスケール変換しワイド画面で視聴可能なワイドテレビジョンを提供しようとするものである。
【課題を解決するための手段】
【００１９】
上記課題を解決するために、本発明に係るワイドテレビジョン装置は、以下の特徴を備えている。
【００２０】
本発明に係るワイドテレビジョン装置は、４：３フォーマットの放送コンテンツを１６：９フォーマットに映像を横方向に拡大するスケーラー手段を備えるワイドテレビジョン装置であって、デジタルハイビジョン放送受信時において、４：３フォーマットの放送コンテンツを表示している際に、マスキングの領域の左右領域から少なくとも1つ以上の所定サイズの領域を切り出す領域設定手段と、前記領域における輝度値を検出する輝度検出手段と、検出した前記輝度値の変化量を算出し、一定期間、前記変化量が所定の許容値範囲内にあるかどうかを判定する判定手段と、を有した４：３フォーマットデテクター部を備え、前記４：３フォーマットデテクター部の前記判定手段は、前記輝度値の変化量が所定の許容値範囲内にあると判定した場合、前記スケーラー手段に対して、横方向に拡大するスケーリング変更指示を行うようにしたことを特徴とする。
【００２１】
また、本発明に係るワイドテレビジョン装置において、前記輝度検出手段は、前記所定サイズの全領域の輝度値の平均値を算出し、該平均値を検出した輝度値とし、前記判定手段に出力することを特徴とする。
【００２２】
また、本発明に係るワイドテレビジョン装置において、前記輝度検出手段は、前記マスキングの領域の左右領域からそれぞれ切り出した前記所定サイズの全領域の輝度値の平均値を別々に算出し、別々に算出した２つの該平均値をそれぞれ検出した輝度値とし、前記判定手段に出力することを特徴とする。
【００２３】
また、本発明に係るワイドテレビジョン装置において、前記判定手段は、前記別々に算出した２つ輝度値の差分量を求め、一定期間の該差分量の変化量が所定の許容値の範囲内にあるか否かを判定することを特徴とする。
【００２４】
また、本発明に係るワイドテレビジョン装置において、前記判定手段は、前記変化量が許容値の範囲内にあると判定した後、前記変化量が許容値の範囲内にないと判定した場合には、前記スケーラー手段に対して、自動的に、スケーリングを１６：９フォーマットにするようにスケーリング指示を行うようにしたことを特徴とする。
【発明の効果】
【００２５】
本発明に係るワイドテレビジョン装置によれば、デジタルハイビジョン放送時において、頻繁に１６：９フォーマットコンテンツと４：３フォーマットコンテンツが混在する場合に、ユーザにより手動による切換を行う必要がなく、１６：９フォーマットと４：３フォーマットを自動的に切換えることが可能であり、操作の煩わしさを解消できるという効果を奏し得る。
【００２６】
また、本発明に係るワイドテレビジョン装置によれば、１６：９フォーマットと４：３フォーマットを自動的に切換るために、輝度値の変化量を算出するにあたって、任意に設定した領域内の全輝度値の平均値を算出することによって、ノイズ等に影響しないより確実な輝度値の変化量を算出して、切換判定を行い、誤判定を減少することが可能である。
【００２７】
また、本発明に係るワイドテレビジョン装置によれば、前記マスキングの領域の左右領域からそれぞれ切り出した前記所定サイズの全領域の輝度値の平均値を別々に算出し、それぞれの差分量の変化量を算出して、切換判定を行って、誤判定を減少することが可能である。
【００２８】
また、本発明に係るワイドテレビジョン装置によれば、１６：９フォーマットと４：３フォーマットを自動的に切換えるだけでなく、相互間のフォーマット切換を自動的に行うことができ、操作性の利便性を図ることができる。
【発明を実施するための最良の形態】
【００２９】
以下、本発明に係るワイドテレビジョン装置の実施形態について、添付図面を参照して詳細に説明する。
【００３０】
図１〜図３は本発明に係るワイドテレビジョン装置の実施形態の一例であって、図中、同一の符号を付した部分は同一物を表わし、基本的な構成は図４に示す従来のものと同様である。
【００３１】
まず、図１を用いて、本発明に係るワイドテレビジョンの構成および動作について以下に説明する。
【００３２】
図１は、本発明に係るワイドテレビジョンの構成を示すブロック図である。
【００３３】
図１に示すブロック図において、図４に示す従来技術の構成に４：３フォーマットデテクター５を追加した構成となっており、この構成要素以外の要素は、従来の構成要素と同等であり、説明を省く。
【００３４】
４：３フォーマットデテクター５は、４：３フォーマットコンテンツであるかを自動的に検出し、スケーラー３に対してスケーリング指示するフォーマットデテクターである。この４：３フォーマットデテクター５は、現在放映中の映像が４：３フォーマットコンテンツであることを検出すると、スケーラー３に対して、スケーリング指示を出力する。スケーラー３は、この指示を受けて、手動モード時の場合と同様に、図５又は図６に示すスケーリングを行う。
【００３５】
次に、上記４：３フォーマットデテクター５の動作について、さらに詳しく以下に説明する。
【００３６】
図２に示すように、４：３フォーマットコンテンツは、マスキングされた領域１０が画面の左右に存在する。このマスキングされた領域１０は、映像の領域と異なり、時間的に輝度変化がなく、一定の輝度を有することが特徴となっている。
【００３７】
従って、この特徴を生かして、一定時間輝度変化がない場合、４：３フォーマットコンテンツであることを判定することが可能である。
【００３８】
上記の基本的な概念のもとに、４：３フォーマットデテクター５が構成されている。
【００３９】
図３は、４：３フォーマットデテクター５の構成例を示すブロック図である。
【００４０】
マスキングの領域１０の左右領域から任意の位置の点から所定サイズの領域１１を切り出す領域設定手段２０と、この領域における特定位置の輝度値又はこの領域における輝度の平均値等を算出し、検出する輝度検出手段２１と、算出したこの輝度値又は輝度平均値の変化量を算出し、一定期間、所定の許容値範囲内かどうかを判定する判定手段２２と、備えて構成されている。
【００４１】
上記のように構成された４：３フォーマットデテクター５は、ＤＶＳ回路１により選択された映像信号を入力する。領域設定手段２０によって切り出した領域の映像信号の輝度値に基づいて、数点の特定位置の輝度値又は領域全体の輝度平均値の変化量を算出し、一定期間の変化量の許容値が所定範囲内かどうかを判定する判定手段２２により、許容値範囲内あると判定され、フォーマットデテクター２からフォーマット情報が１６：９フォーマット情報である場合には、スケーラー３に対して、スケーリング変更指示手段２３により、水平方向にスケーリングする指示を出力する。
【００４２】
ここで、フォーマット情報が１６：９フォーマットとなり、判定手段により許容値範囲内にないことが判定された場合に、スケーリング変更指示手段２３は、スケーラー３に対して、元の設定に戻すように指示して、表示画面は、１６：９フォーマットに戻る。
【００４３】
なお、輝度平均値等の変化量を算出するための切り出し領域１０は、画面の左右に１づつに限らず、複数個の領域を設定してもよい。
【００４４】
また、画面の左右の輝度平均値を独立に算出し、それぞれの輝度値の差分量の変化量が所定範囲内にあるかどうかを判定するようにしてもよい。
【００４５】
以上説明したように、デジタルハイビジョン放送時において、頻繁に１６：９フォーマットコンテンツと４：３フォーマットコンテンツが混在する場合に、従来のように、手動による切換を行う必要がなく、１６：９フォーマットと４：３フォーマットを自動的に切換えることが可能であり、非常に煩わしさを解消できる。
【００４６】
尚、本発明に係るワイドテレビジョンは、上記した実施形態に限定されるものではなく、本発明の要旨を逸脱しない範囲内において種々変更を加え得ることは勿論である。
【図面の簡単な説明】
【００４７】
【図１】本発明に係るワイドテレビジョンの構成を示すブロック図である。
【図２】４：３フォーマットコンテンツが表示された場合に、画面の左右にマスキングされた領域５０が発生することを示す図である。
【図３】４：３フォーマットデテクター５の構成例を示すブロック図である。
【図４】従来のワイドテレビジョン装置の一構成例を示す構成図である。
【図５】４：３フォーマットの映像を水平方向に均等にスケーリングした例を示す図である。
【図６】図９のように均等に引き伸ばすと歪んだ映像が目立つ場合があり、この歪みをできるだけ目立たなくするために、中心付近と周辺部分とで，引き伸ばし率を変えてスケーリングした図である。
【図７】４：３フォーマットのコンテンツが放送されている場合、画面の両サイドの領域に映像が写されない部分、マスキング領域５０が発生することを示す図である。
【符号の説明】
【００４８】
１  ＤＩＧＩＴＡＬ  ＶＩＤＥＯＳＷＩＴＣＨＥＲ回路
２  フォーマットデテクター
３  スケーラー
４  ピクチャーコントローラ
５  ４：３フォーマットデテクター
１０  マスキング領域
１１  切り出し領域
２０  切り出し領域設定手段
２１  輝度検出手段
２２  判定手段
２３  スケーリング変更指示手段
【図１】
0004480657.tif 000002
【図２】
0004480657.tif 000003
【図３】
0004480657.tif 000004
【図４】
0004480657.tif 000005
【図５】
0004480657.tif 000006
【図６】
0004480657.tif 000007
【図７】
0004480657.tif 000008